【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、１以上のレンズ群を含む後群より構成され、ズーミングに際して前記第２レンズ群と前記後群の中で最も物体側に配置されたレンズ群が移動し、前記第１レンズ群はズーミングのためには不動であり、ズーミングに際して隣り合うレンズ群の間隔が変化するズームレンズであって、
前記第１レンズ群は、物体側から像側へ順に配置された、負レンズ、正レンズ、正レンズ、正レンズからなり、前記第１レンズ群の焦点距離と前記第２レンズ群の焦点距離を各々ｆ１、ｆ２、前記第１レンズ群に含まれる負レンズの物体側と像側のレンズ面の曲率半径を各々Ｒ１、Ｒ２とし、シェープファクターＳＦＧ１を
ＳＦＧ１＝（Ｒ１＋Ｒ２）／（Ｒ１−Ｒ２）
とするとき、
５．０＜ｆ１／｜ｆ２｜＜７．０
−０．２＜ＳＦＧ１＜１．１
なる条件式を満足することを特徴とするズームレンズ。
【請求項２】
前記第１レンズ群に含まれる負レンズの焦点距離をｆ１ｎとするとき、
０．８＜｜ｆ１ｎ｜／ｆ１＜２．０
なる条件式を満たすことを特徴とする請求項１に記載のズームレンズ。
【請求項３】
広角端における全系の焦点距離をｆＷ、望遠端における全系の焦点距離をｆＴとするとき、
２．０＜ｆ１／√（ｆＷ×ｆＴ）＜４．０
なる条件式を満たすことを特徴とする請求項１又は２に記載のズームレンズ。
【請求項４】
前記第３レンズ群の物体側に開口絞りを有し、広角端におけるレンズ全長をＴＤＷ、広角端における前記開口絞りから像面までの空気換算長をＤＳＰとするとき、
０．２＜ＤＳＰ／ＴＤＷ＜０．７
なる条件式を満たすことを特徴とする請求項１乃至３のいずれか１項に記載のズームレンズ。
【請求項５】
広角端から望遠端へのズーミングにおける前記第２レンズ群の移動量をｍ２、広角端における全系の焦点距離をｆＷ、望遠端における全系の焦点距離をｆＴとするとき、
１．５＜｜ｍ２｜／√（ｆＷ×ｆＴ）＜３．０
なる条件式を満たすことを特徴とする請求項１乃至４のいずれか１項に記載のズームレンズ。
【請求項６】
望遠端における全系の焦点距離をｆＴとするとき、
０．５＜ｆ１／ｆＴ＜１．５
なる条件式を満たすことを特徴とする請求項１乃至５のいずれか１項に記載のズームレンズ。
【請求項７】
前記後群は、物体側より像側へ順に配置された、正の屈折力の第４レンズ群、正の屈折力の第５レンズ群より構成され、
前記第５レンズ群は負の屈折力の第５１レンズ成分、正の屈折力の第５２レンズ成分を有し、前記第５１レンズ成分と前記第５２レンズ成分のいずれか一方のレンズ成分ＩＳは、像振れ補正に際して、光軸に対して垂直方向の成分を持つ方向に移動し、
前記レンズ成分ＩＳの望遠端における横倍率をβａ、前記レンズ成分ＩＳより像側に配置されたレンズ成分の望遠端における横倍率をβｂとするとき、（但しレンズ成分ＩＳより像側にレンズ成分がないときはβｂ＝１とする）
０．４＜｜（１−βａ）×βｂ｜＜１．５
なる条件式を満たすことを特徴とする請求項１乃至６のいずれか１項に記載のズームレンズ。
【請求項８】
前記後群は、物体側より像側へ順に配置された、正の屈折力の第４レンズ群、正の屈折力の第５レンズ群より構成され、前記第５レンズ群はズーミングに際して不動であることを特徴とする請求項１乃至６のいずれか１項に記載のズームレンズ。
【請求項９】
前記後群は、正の屈折力の第４レンズ群から構成されることを特徴とする請求項１乃至６のいずれか１項に記載のズームレンズ。
【請求項１０】
請求項１乃至９のいずれか１項記載のズームレンズと、該ズームレンズによって形成された像を受光する撮像素子を有することを特徴とする撮像装置。
【手続補正２】
【補正対象書類名】明細書
【補正対象項目名】００１０
【補正方法】変更
【補正の内容】
【００１０】
本発明のズームレンズは、物体側より像側へ順に配置された、正の屈折力の第１レンズ群、負の屈折力の第２レンズ群、正の屈折力の第３レンズ群、１以上のレンズ群を含む後群より構成され、ズーミングに際して前記第２レンズ群と前記後群の中で最も物体側に配置されたレンズ群が移動し、前記第１レンズ群はズーミングのためには不動であり、ズーミングに際して隣り合うレンズ群の間隔が変化するズームレンズであって、
前記第１レンズ群は、物体側から像側へ順に配置された、負レンズ、正レンズ、正レンズ、正レンズからなり、前記第１レンズ群の焦点距離と前記第２レンズ群の焦点距離を各々ｆ１、ｆ２、前記第１レンズ群に含まれる負レンズの物体側と像側のレンズ面の曲率半径を各々Ｒ１、Ｒ２とし、シェープファクターＳＦＧ１を
ＳＦＧ１＝（Ｒ１＋Ｒ２）／（Ｒ１−Ｒ２）
とするとき、
５．０＜ｆ１／｜ｆ２｜＜７．０
−０．２＜ＳＦＧ１＜１．１
なる条件式を満足することを特徴としている。
【手続補正３】
【補正対象書類名】明細書
【補正対象項目名】００１３
【補正方法】変更
【補正の内容】
【００１３】
以下に本発明の好ましい実施の形態を、添付の図面に基づいて詳細に説明する。本発明のズームレンズは、物体側から像側へ順に配置された、正の屈折力（光学的パワー＝焦点距離の逆数）の第１レンズ群、負の屈折力の第２レンズ群、正の屈折力の第３レンズ群、１以上のレンズ群を含む後群より構成されている。ズーミングのためには第１レンズ群は不動である。ズーミングに際して第２レンズ群と後群の中で最も物体側に配置されたレンズ群が移動し、隣り合うレンズ群の間隔が変化する。
【手続補正４】
【補正対象書類名】明細書
【補正対象項目名】００２３
【補正方法】変更
【補正の内容】
【００２３】
ズーミングに際して第１レンズ群Ｂ１は不動である。広角端から望遠端へのズーミングに際して少なくとも第２レンズ群Ｂ２は像側へ単調移動し、後群ＬＲの最も物体側のレンズ群である第４レンズ群Ｂ４は物体側へ凸状の軌跡で移動する。このとき広角端に比べ望遠端において第１レンズ群Ｂ１と第２レンズ群Ｂ２との間隔が大きくなり、第２レンズ群Ｂ２と第３レンズ群Ｂ３との間隔が小さくなるように各レンズ群が移動する。各実施例において第２レンズ群Ｂ２と第３レンズ群Ｂ３との間に開口絞りＳＰを有する。
【手続補正５】
【補正対象書類名】明細書
【補正対象項目名】００２５
【補正方法】変更
【補正の内容】
【００２５】
実施例１において後群ＬＲは、物体側より像側へ順に配置された、正の屈折力の第４レンズ群Ｂ４、正の屈折力の第５レンズ群Ｂ５より構成される。広角端から望遠端へのズーミングに際して第２レンズ群Ｂ２は像側へ単調に移動し、第４レンズ群Ｂ４は物体側に凸状の軌跡で移動する。ズーミングに際して第１レンズ群Ｂ１と第３レンズ群Ｂ３と第５レンズ群Ｂ５は不動である。実施例２では後群ＬＲは正の屈折力の第４レンズ群Ｂ４より構成される。
【手続補正６】
【補正対象書類名】明細書
【補正対象項目名】００２６
【補正方法】変更
【補正の内容】
【００２６】
広角端から望遠端へのズーミングに際して第２レンズ群Ｂ２は像側へ単調に移動し、第４レンズ群Ｂ４は物体側に凸状の軌跡で移動する。ズーミングに際して第１レンズ群Ｂ１と第３レンズ群Ｂ３は不動である。実施例３では後群ＬＲは、物体側より像側へ順に配置された、正の屈折力の第４レンズ群Ｂ４、正の屈折力の第５レンズ群Ｂ５より構成される。広角端から望遠端へのズーミングに際して第２レンズ群Ｂ２は像側へ単調移動し、第３レンズ群Ｂ３と第４レンズ群Ｂ４は物体側へ凸状の軌跡で移動する。ズーミングに際して第１レンズ群Ｂ１と第５レンズ群Ｂ５は不動である。
【手続補正７】
【補正対象書類名】明細書
【補正対象項目名】００２７
【補正方法】変更
【補正の内容】
【００２７】
開口絞りＳＰは第３レンズ群Ｂ３と一体的（同じ軌跡）に移動する。実施例４では後群ＬＲは、物体側より像側へ順に配置された、正の屈折力の第４レンズ群Ｂ４、正の屈折力の第５レンズ群Ｂ５より構成される。広角端から望遠端へのズーミングに際して第２レンズ群Ｂ２は像側へ単調に移動し、第４レンズ群Ｂ４は物体側に凸状の軌跡で移動する。ズーミングに際して第１レンズ群Ｂ１、第３レンズ群Ｂ３、第５レンズ群Ｂ５は不動である。実施例１、３、４では第５レンズ群Ｂ５を物体側より像側へ順に、負の屈折力の第５１レンズ成分Ｂ５１と正の屈折力の第５２レンズ成分Ｂ５２より構成している。
【手続補正８】
【補正対象書類名】明細書
【補正対象項目名】００２９
【補正方法】変更
【補正の内容】
【００２９】
各実施例において、第１レンズ群Ｂ１は、物体側から像側へ順に配置された、負レンズ、正レンズ、正レンズ、正レンズからなる。第１レンズ群Ｂ１の焦点距離と第２レンズ群Ｂ２の焦点距離を各々ｆ１、ｆ２とする。第１レンズ群Ｂ１に含まれる負レンズの物体側のレンズ面の曲率半径をＲ１、像側のレンズ面の曲率半径をＲ２とし、シェープファクターＳＦＧ１を
ＳＦＧ１＝（Ｒ１＋Ｒ２）／（Ｒ１−Ｒ２）
とする。
【手続補正９】
【補正対象書類名】明細書
【補正対象項目名】００３８
【補正方法】変更
【補正の内容】
【００３８】
各実施例において更に好ましくは次の諸条件のうち１以上を満足するのが良い。第１レンズ群Ｂ１に含まれる負レンズの焦点距離をｆ１ｎとする。広角端における全系の焦点距離をｆＷ、望遠端における全系の焦点距離をｆＴとする。第３レンズ群Ｂ３の物体側に開口絞りＳＰを有し、広角端におけるレンズ全長をＴＤＷ、広角端における開口絞りＳＰから像面までの空気換算長（フィルター等の平行平面版を除去したときの距離）をＤＳＰとする。広角端から望遠端へのズーミングにおける第２レンズ群Ｂ２の移動量をｍ２とする。
【手続補正１０】
【補正対象書類名】明細書
【補正対象項目名】００３９
【補正方法】変更
【補正の内容】
【００３９】
後群ＬＲは物体側から像側へ順に配置された、正の屈折力の第４レンズ群Ｂ４、正の屈折力の第５レンズ群Ｂ５より構成されているときであって、第５レンズ群Ｂ５は負の屈折力の第５１レンズ成分Ｂ５１、正の屈折力の第５２レンズ成分Ｂ５２を有している。そしていずれか一方のレンズ成分ＩＳは、像ぶれ補正に際して光軸と垂直に対して垂直方向の成分を持つ方向に移動している。